(57)【要約】【課題】キーボード操作がほとんど必要ない音声入力ワード処理方式を提供する。【解決手段】音声認識装置は使用言語の音声識別のほかに、使用言語では用いられない特定の音声および音を識別する機能を備え、処理装置は、句読点や記号等の制御文字への変換や、カーソル移動、文字消去や改行等の操作指示を特定の発音および音に対応して記憶し、入力された特定の音声および音を識別したあと、対応する変換や操作指示に従い、文章・画像などを作成、表示する。【選択図】  図１
2004185526.tif 000002
【特許請求の範囲】
【請求項１】
音声および音を電気信号に変換する音声入力装置と、該音声入力装置の出力を識別する音声認識装置と、該音声認識装置の出力を変換処理する処理装置と、該処理装置の出力から文章画像を表示する表示装置とを有する音声入力文章作成装置において、
前記音声認識装置は、入力する使用言語の音声識別のほかに、該使用言語では用いられない音声あるいは音を識別する機能を備え、前記処理装置は、前記使用言語では用いられない音声あるいは音を、予め指定した文字、記号あるいは画像への変換処理、あるいは操作指示として処理する機能を備えたことを特徴とする音声入力文章作成装置。
【請求項２】
前記処理装置は、前記文字、記号あるいは画像への変換処理を行う変換処理モードと、前記操作指示を処理する操作処理モードを備え、前記使用言語では用いられない音声あるいは音に対応して、前記各処理モードへの移行と脱出を行い、移行した処理モード内で個別に処理する機能を備えたことを特徴とする請求項１に記載の音声入力文章作成装置。
【発明の詳細な説明】
【０００１】
【発明の属する技術分野】
本発明は音声で表現される文字のほか、句読点や記号などの通常発音を伴わない記号への変換処理や、文字の消去、改行およびカーソルの移動などの操作指示について、音声や音で入力できる音声入力文章作成装置に関する。
【０００２】
【従来の技術】
一般に、ワードプロセッサに代表される文章作成装置では、文字入力を行う場合には、キーボードを操作し入力する。しかし、携帯型電子機器では、キーボード操作を行わないで文章を作成できることが望まれる。一方、近年の音声認識技術の発達により、音声入力ワードプロセッサが実用化されている。音声による入力装置として、例えば、特開平１０−４９３４３号公報（特許文献１）が開示されている。
【０００３】
従来の音声入力ワードプロセッサでは、通常の文字は音声によって入力し、「、」（読点）や「。」（句点）及び改行マークなどの制御文字は、キーボードから入力する構成となっている。また、これら制御文字をそれぞれ「てん」、「まる」及び「かいぎょう」と発音し、前後関係から制御文字であると判断する方法もある。しかし、文字の消去、カーソルの移動などの操作を行う際には、キーボードを使用する必要があった。
【０００４】
【特許文献１】特開平１０−４９３４３号公報
【０００５】
【発明が解決しようとする課題】
従来の音声入力ワードプロセッサでは、通常の文章や一部の制御文字は音声入力できるが、各種の制御文字を含む全ての文字への変換や、操作指示を音声入力のみで処理することができないため、キーボードを操作する必要があるという問題点があった。本発明は上記問題点を解消し、通常の文章はもとより、句読点および記号等の通常発音を伴わない制御文字や、文字の消去、カーソルの移動および改行などの操作指示も音声により入力でき、キーボード操作がほとんど必要ない音声入力文章作成装置を提供することを目的とする。
【０００６】
【課題を解決するための手段】
本発明は上記目的を達成するために、請求項１に係る発明は、音声および音を電気信号に変換する音声入力装置と、該音声入力装置の出力を識別する音声認識装置と、該音声認識装置の出力を変換処理する処理装置と、該処理装置の出力から文章画像を表示する表示装置とを有する音声入力文章作成装置において、前記音声認識装置は、入力する使用言語の音声識別のほかに、該使用言語では用いられない音声あるいは音を識別する機能を備え、前記処理装置は、前記使用言語では用いられない音声あるいは音を、予め指定した文字、記号あるいは画像への変換処理、あるいは操作指示として処理する機能を備えたことを特徴とするものである。
【０００７】
また請求項２に係る発明は、請求項１に係る発明において、前記処理装置は、前記文字、記号あるいは画像への変換処理を行う変換処理モードと、前記操作指示を処理する操作処理モードを備え、前記使用言語では用いられない音声あるいは音に対応して、前記各処理モードへの移行と脱出を行い、移行した処理モード内で個別に処理する機能を備えたことを特徴とするものである。
【０００８】
【発明の実施の形態】
以下、図面に基づいて本発明に係る音声入力ワードプロセッサの実施例を説明する。図１は音声入力ワードプロセッサの基本的な構成をブロック図で示したもので、１１は音声入力装置、１２は音声認識装置、１３は処理装置、１４は表示装置である。一般に音声入力装置１１はマイク、表示装置１４はＣＲＴディスプレイまたは液晶ディスプレイで実現される。また、音声認識装置１２及び処理装置１３はパーソナルコンピュータ等のＣＰＵで実現される。
【０００９】
図２は、音声入力ワードプロセッサを用いて、使用言語（本実施例では日本語、以下同じ）の文章を作成する上で用いられる音の一例である。音声認識装置１２は、通常の日本語の音声のほかに、図２に示す発音や音、あるいはこの他に、これらに類する発音や音を識別する機能を備え、これらの識別結果を処理装置１３へ伝える。処理装置１３は通常の日本語の音声はそのまま文字に変換して表示装置１３に出力する。一方、図２に示す発音や音、これに類する発音や音を、予め設定、記憶されている対応関係のルールに従って、「、」、「。」、その他の記号等の文章作成に必要な制御文字に変換し、あるいは改行、カーソル移動や文字消去などの文書作成に必要な操作指示に変換し、表示装置１４に出力する。表示装置１４は処理装置１３からの出力に応じ、文章を表示する。
【００１０】
図３は処理装置１３における変換処理の一例を説明するフローチャートである。本実施例では、いくつかの処理モードを設け、条件分岐により必要な処理モードを呼び出して処理している。図３に示す実施例では、変換処理モードとして通常の文章処理を行う文字変換と制御文字変換を行い、操作処理モードとしてカーソル移動を行う場合を示す。
【００１１】
まず処理装置１３では、音声認識装置１２からの出力に対し、それが条件１であるか、条件２であるかを判断し、条件１であればカーソル移動の処理を行い、条件２であれば制御文字入力の処理を行い、その結果を表示装置１４に出力する。条件１、２のいずれでもなければ、文章処理と判断され漢字変換などを含めた通常の文章処理を行い、その結果を表示部１４に出力する。
【００１２】
各処理モード内の処理は、各処理モード内で個別に行われる。例えばカーソル移動は次のように行われる。カーソルの移動先として、上下左右の４方向がある。これら４方向に通常の日本語では用いられない発音および音を割り当てておくことも可能であるが、操作が煩雑となることがある。そこで、例えば、カーソル移動という処理に対して、カーソル移動モードに入るために１つの発音または音を割り当て、それに続く内部処理では通常の日本語音声で指示するようにすればよい。
【００１３】
図４はカーソル移動の処理を説明するフローチャートである。図３に示すフローチャートにおいて、条件１を満たし、カーソル移動が選択された場合、引き続いて音声で「うえ」、「した」、「みぎ」、「ひだり」と入力されると、それぞれ、上、下、右、左へのカーソル移動と判断し、カーソルを移動させる。また、予め設定、記憶された特定の音声または音等を入力することで、カーソル移動モードから脱出することができ、引き続いて、通常の文字変換モードや制御文字変換モードに移り、文章を作成することができる。図３では、条件１及び条件２の２つの条件分岐の場合について記載しているが、文字消去などの他の処理を行う場合には、さらに条件分岐を増やせば良い。
【００１４】
以上本発明の実施例として、ワードプロセッサを例にとり説明を行ったが、本発明は上記実施例に限定されるものではなく、本発明の主旨を逸脱しない範囲で、変形実施可能であることはいうまでもない。なおワードプロセッサにおいて、キーボード入力と併用することで変換処理や操作処理を行うことも可能である。
【００１５】
【発明の効果】
以上説明したように、本発明の音声入力文章作成装置は、使用言語にない音声や音、あるいは体を使用して生成できる音などを利用することにより、通常の文章はもとより、句読点や記号など通常発音を伴わない制御文字への変換や、文字の消去、カーソルの移動、改行等の操作指示を音声により入力できるため、キーボードをほとんど使わず、文章作成ができる。
【図面の簡単な説明】
【図１】本発明の音声入力ワードプロセッサの基本的な構成を示すブロック図である。
【図２】本発明の音声入力ワードプロセッサで用いられる音の一例である。
【図３】処理装置における変換処理を説明するフローチャートである。
【図４】カーソル移動モードにおける変換処理を説明するフローチャートである。
【符号の説明】
１１：音声入力装置    １２：音声認識装置    １３：処理装置    １４：表示装置
【図１】
2004185526.tif 000003
【図２】
2004185526.tif 000004
【図３】
2004185526.tif 000005
【図４】
2004185526.tif 000006